(57)【要約】【課題】  端末に適応した音楽コンテンツを配信し、ユーザの満足度の向上を図ること。【解決手段】  ユーザ端末から送信された音情報コンテンツの配信要求情報及び当該ユーザ端末の端末情報を受信する配信要求受付手段と、音情報コンテンツをユーザ端末に適合させる変換内容を表す変換内容情報を、端末情報に関連付けて記憶した変換情報記憶手段と、この変換情報記憶手段に記憶された情報に基づいて、端末情報に対応する変換内容情報を特定する変換解析手段と、配信要求情報にて特定される音情報コンテンツを音情報記憶手段から読み出して、この音情報コンテンツを変換解析手段にて特定された変換内容情報に基づいて変換する音情報変換手段と、を備えた。【選択図】図１
2006243397.tif 000002
【特許請求の範囲】
【請求項１】
音情報コンテンツを記憶した音情報記憶手段と、前記音情報コンテンツをネットワークを介してユーザ端末に配信する音情報配信手段と、を備えた音情報配信システムであって、
前記ユーザ端末から送信された前記音情報コンテンツの配信要求情報及び当該ユーザ端末の端末情報を受信する配信要求受付手段と、
前記音情報コンテンツを前記ユーザ端末に適合させる変換内容を表す変換内容情報を、前記端末情報に関連付けて記憶した変換情報記憶手段と、
この変換情報記憶手段に記憶された情報に基づいて、前記端末情報に対応する前記変換内容情報を特定する変換解析手段と、
前記配信要求情報にて特定される前記音情報コンテンツを前記音情報記憶手段から読み出して、この音情報コンテンツを前記変換解析手段にて特定された前記変換内容情報に基づいて変換する音情報変換手段と、
を備えたことを特徴とする音情報配信システム。
【請求項２】
前記配信要求受付手段は、前記ユーザ端末から前記端末情報と共に送信されたユーザが希望する音情報コンテンツの変換内容を指定する変換パラメータを受信すると共に、
前記変換情報記憶手段が、前記変換パラメータにて指定される前記音情報コンテンツの変換内容を表す第２の変換内容情報を、前記変換パラメータに関連付けて記憶し、
前記変換解析手段が、前記変換パラメータに対応する前記第２の変換内容情報を特定し、
前記音情報変換手段が、前記音情報コンテンツを前記変換解析手段にて特定された前記変換内容情報及び前記第２の変換内容情報に基づいて変換する、
ことを特徴とする請求項１記載の音情報配信システム。
【請求項３】
前記変換パラメータは、前記音情報コンテンツのファイル形式を指定する情報である、ことを特徴とする請求項２記載の音情報配信システム。
【請求項４】
前記変換パラメータは、前記音情報コンテンツの圧縮方式を指定する情報である、ことを特徴とする請求項２又は３記載の音情報配信システム。
【請求項５】
前記変換パラメータは、前記音情報コンテンツの一部を指定する情報である、ことを特徴とする請求項２，３又は４記載の音情報配信システム。
【請求項６】
前記変換パラメータは、前記音情報コンテンツの音質を指定する情報である、ことを特徴とする請求項２，３，４又は５記載の音情報配信システム。
【請求項７】
前記変換パラメータは、前記音情報コンテンツの再生時における音響効果を指定する情報である、ことを特徴とする請求項２，３，４，５又は６記載の音情報配信システム。
【請求項８】
前記音情報変換手段によって変換された前記音情報コンテンツに基づいて、前記ユーザ端末に課金する額を決定する課金額決定手段を備えた、ことを特徴とする請求項１，２，３，４，５，６又は７記載の音情報配信システム。
【請求項９】
前記課金額決定手段は、前記音情報コンテンツの前記音情報変換手段による変換内容に応じて前記課金額を決定する、ことを特徴とする請求項９記載の音情報配信システム。
【請求項１０】
前記課金額決定手段は、前記音情報コンテンツの前記音情報変換手段による変換対象となるデータ容量に基づいて前記課金額を決定する、ことを特徴とする請求項８又は９記載の音情報配信システム。
【請求項１１】
ユーザ端末にネットワークを介して接続された音情報配信サーバと、この音情報配信サーバに接続され音情報コンテンツを記憶した音情報記憶手段を有する音情報変換サーバと、を備えた音情報配信システムであって、
前記音情報配信サーバが、
前記ユーザ端末から送信された前記音情報コンテンツの配信要求情報及び当該ユーザ端末の端末情報を受信して前記変換サーバに通知する配信要求受付手段と、
前記音情報変換サーバから送信された前記音情報コンテンツを前記ユーザ端末に配信する音情報配信手段と、を備えると共に、
前記音情報変換サーバが、
前記音情報コンテンツを前記ユーザ端末に適合させる変換内容を表す変換内容情報を、前記端末情報に関連付けて記憶した変換情報記憶手段と、
この変換情報記憶手段に記憶された情報に基づいて、前記音情報配信サーバから受信した前記端末情報に対応する前記変換内容情報を特定する変換解析手段と、
前記音情報配信サーバから受信した前記配信要求情報にて特定される前記音情報コンテンツを前記音情報記憶手段から読み出して、この音情報コンテンツを前記変換解析手段にて特定された前記変換内容情報に基づいて変換する音情報変換手段と、
この変換された音情報コンテンツを前記音情報配信サーバに送信する音情報コンテンツ送信手段と、
を備えたことを特徴とする音情報配信システム。
【請求項１２】
前記音情報配信サーバが有する前記配信要求受付手段は、前記ユーザ端末から前記端末情報と共に送信されたユーザが希望する音情報コンテンツの変換内容を指定する変換パラメータを受信して前記変換サーバに通知すると共に、
前記変換サーバが有する前記変換情報記憶手段が、前記変換パラメータにて指定される前記音情報コンテンツの変換内容を表す第２の変換内容情報を、前記変換パラメータに関連付けて記憶し、
前記変換サーバが有する前記変換解析手段が、前記音情報配信サーバから受信した前記変換パラメータに対応する前記第２の変換内容情報を特定し、
前記変換サーバが有する前記音情報変換手段が、前記音情報コンテンツを前記変換解析手段にて特定された前記変換内容情報及び前記第２の変換内容情報に基づいて変換する、
ことを特徴とする請求項１１記載の音情報配信システム。
【請求項１３】
ユーザ端末にネットワークを介して接続された音情報配信サーバに接続され、音情報コンテンツを記憶した音情報記憶手段を有する音情報変換サーバであって、
前記音情報配信サーバが前記ユーザ端末から受信した前記音情報コンテンツの配信要求情報及び当該ユーザ端末の端末情報を受け取る配信要求受付手段と、
前記音情報コンテンツを前記ユーザ端末に適合させる変換内容を表す変換内容情報を、前記端末情報に関連付けて記憶した変換情報記憶手段と、
前記変換情報記憶手段に記憶された情報に基づいて、前記音情報配信サーバから受け付けた前記端末情報に対応する前記変換内容情報を特定する変換解析手段と、
前記音情報配信サーバから受け付けた前記配信要求情報にて特定される前記音情報コンテンツを前記音情報記憶手段から読み出して、この音情報コンテンツを前記変換解析手段にて特定された前記変換内容情報に基づいて変換する音情報変換手段と、
この変換された音情報コンテンツを前記ユーザ端末に配信するよう前記音情報配信サーバに送信する音情報コンテンツ送信手段と、
を備えたことを特徴とする変換サーバ。
【請求項１４】
前記配信要求受付手段は、前記ユーザ端末から前記端末情報と共に送信されたユーザが希望する音情報コンテンツの変換内容を指定する変換パラメータを前記音情報配信サーバから受け付けると共に、
前記変換情報記憶手段は、前記変換パラメータにて指定される前記音情報コンテンツの変換内容を表す第２の変換内容情報を、前記変換パラメータに関連付けて記憶し、
前記前記変換解析手段が、前記音情報配信サーバから受け付けた前記変換パラメータに対応する前記第２の変換内容情報を特定し、
前記前記音情報変換手段が、前記音情報コンテンツを前記変換解析手段にて特定された前記変換内容情報及び前記第２の変換内容情報に基づいて変換する、
ことを特徴とする請求項１３記載の音情報変換サーバ。
【請求項１５】
前記音情報変換手段によって変換された前記音情報コンテンツに基づいて、前記ユーザ端末に課金する額を決定する課金額決定手段を備えた、ことを特徴とする請求項１３又は１４記載の音情報変換サーバ。
【請求項１６】
ユーザ端末にネットワークを介して接続された音情報配信サーバに接続され、音情報コンテンツを記憶した音情報記憶手段を有する音情報変換サーバに、
前記音情報配信サーバが前記ユーザ端末から受信した前記音情報コンテンツの配信要求情報及び当該ユーザ端末の端末情報を受け取る配信要求受付手段と、
前記音情報コンテンツを前記ユーザ端末に適合させる変換内容を表す変換内容情報が前記端末情報に関連付けて記憶された変換情報記憶手段内の情報に基づいて、前記音情報配信サーバから受け付けた前記端末情報に対応する前記変換内容情報を特定する変換解析手段と、
前記音情報配信サーバから受け付けた前記配信要求情報にて特定される前記音情報コンテンツを前記音情報記憶手段から読み出して、この音情報コンテンツを前記変換解析手段にて特定された前記変換内容情報に基づいて変換する音情報変換手段と、
この変換された音情報コンテンツを前記ユーザ端末に配信するよう前記音情報配信サーバに送信する音情報コンテンツ送信手段と、
を実現するための音情報変換用プログラム。
【請求項１７】
前記音情報変換サーバに、
前記ユーザ端末から前記端末情報と共に送信されたユーザが希望する音情報コンテンツの変換内容を指定する変換パラメータを前記音情報配信サーバから受け付ける前記配信要求受付手段と、
前記変換パラメータにて指定される前記音情報コンテンツの変換内容を表す第２の変換内容情報が前記変換パラメータに関連付けて記憶された前記変換情報記憶手段内の情報に基づいて、前記音情報配信サーバから受け付けた前記変換パラメータに対応する前記第２の変換内容情報を特定する前記前記変換解析手段と、
前記音情報コンテンツを前記変換解析手段にて特定された前記変換内容情報及び前記第２の変換内容情報に基づいて変換する前記音情報変換手段と、
を実現するための請求項１６記載の音情報変換用プログラム。
【請求項１８】
前記音情報変換サーバに、
前記音情報変換手段によって変換された前記音情報コンテンツに基づいて、前記ユーザ端末に課金する額を決定する課金額決定手段、
を実現するための請求項１６又は１７記載の音情報変換用プログラム。
【請求項１９】
ユーザ端末にネットワークを介して接続されたコンピュータを用いて音情報コンテンツを前記ユーザ端末に配信する方法であって、
前記コンピュータが、前記ユーザ端末から送信された前記音情報コンテンツの配信要求情報及び当該ユーザ端末の端末情報を受信する配信要求受付工程と、
前記音情報コンテンツを前記ユーザ端末に適合させる変換内容を表す変換内容情報が前記端末情報に関連付けて記憶した変換情報記憶手段内の情報に基づいて、前記端末情報に対応する前記変換内容情報を特定する変換解析工程と、
前記配信要求情報にて特定される前記音情報コンテンツを音情報記憶手段から読み出して、この音情報コンテンツを前記特定された変換内容情報に基づいて変換する音情報変換工程と、
この変換された音情報コンテンツをネットワークを介して前記ユーザ端末に配信する音情報配信工程と、
を備えたことを特徴とする音情報配信方法。
【請求項２０】
前記配信要求受付工程は、前記ユーザ端末から前記端末情報と共に送信されたユーザが希望する音情報コンテンツの変換内容を指定する変換パラメータを受信し、
前記変換解析工程が、前記変換パラメータにて指定される前記音情報コンテンツの変換内容を表す第２の変換内容情報が前記変換パラメータに関連付けて記憶された前記変換情報記憶手段内の情報に基づいて、前記変換パラメータに対応する前記第２の変換内容情報を特定し、
前記音情報変換工程が、前記音情報コンテンツを前記変換解析工程にて特定された前記変換内容情報及び前記第２の変換内容情報に基づいて変換する、
ことを特徴とする請求項１７記載の音情報配信方法。
【請求項２１】
前記音情報配信工程の後に、前記音情報変換工程によって変換された前記音情報コンテンツに基づいて前記ユーザ端末に課金する額を決定する課金額決定工程を備えた、ことを特徴とする請求項１９又は２０記載の音情報配信方法。
【発明の詳細な説明】
【技術分野】
【０００１】
本発明は、音情報配信システムにかかり、特に、ネットワークを介してユーザの情報処理端末に音情報データを配信するシステムに関する。
【背景技術】
【０００２】
携帯電話の着信時に他の携帯電話の着信と区別するため、自分の好きなメロディで着信を知らせる着信メロディサービスが行なわれている。そして、更に、高音質の音楽をダウンロードし、着信メロディとして使用する「着うた」や携帯電話自体で音楽を楽しむサービスも普及している。このように、ユーザは、配信される音楽を自分の好きなようにカスタマイズして聴くことができるようになってきている。
【０００３】
例えば、下記の特許文献１には、着信メロディをダウンロードする時に好きなフレーズやテンポ、音量をカスタマイズし、配信サーバにて編集してダウンロードができるシステムが開示されている。また、特許文献２には、音楽をダウンロードするとき、自分の好きな音質設定データを一緒にダウンロードし、再生時に音質設定データから音質を調整することができるシステムが開示されている。さらに、特許文献３には、音楽を配信するサーバにユーザ端末の仕様を送信し、当該端末仕様に対応してデータを変換して配信する、というシステムが開示されている。
【０００４】
【特許文献１】特開２００４−１４５２３６号公報
【特許文献２】特開２００４−１３４８８０号公報
【特許文献３】特開２００２−１３５３５３号公報
【発明の開示】
【発明が解決しようとする課題】
【０００５】
しかしながら、上記従来例におけるシステムでは、以下のような不都合があった。まず、特許文献１，２に開示されているように、ユーザの好むようにデータを変換して配信したとしても、端末が装備しているスピーカーや音楽再生性能に応じたカスタマイズを考慮していないこともあり、端末の性能により音楽を圧縮するコーデックの選択、付属しているスピーカーによる音の特性の修正を行なわないと音質が悪くなる、という問題が生じうる。そして、特に、特許文献２では、端末側での音楽調整を前提としているが、携帯端末ではそのような調整機能がないため、自分の好きなように聞くことができないことである。また、調整機能を使用すると端末の負荷が高くなることも携帯端末では問題となる。
【０００６】
また、特許文献３に開示されているシステムでは、ユーザの端末に適合するようデータが変換されて配信されるが、端末の仕様を表す情報を端末から送信しなければならず、詳細な仕様情報まで送信する機能を有していない端末を用いた場合には適切な音楽データを取得することができない。さらには、ユーザの端末の仕様を認識することのできないサーバでは、音楽データの適切な変換ができず、ユーザ端末にて適切に再生可能なデータを配信することができない、という問題が生じうる。
【０００７】
このため、本発明では、ユーザに煩わしい操作をさせることなく、端末に適応した音楽コンテンツを配信可能とし、ユーザの満足度の向上を図る、ことをその目的とする。また、希望するユーザには、好みの音響効果を加えた音楽コンテンツを提供し、よりユーザが楽しむことができることをその目的とする。
【課題を解決するための手段】
【０００８】
そこで、本発明の一形態である音情報配信システムは、
音情報コンテンツを記憶した音情報記憶手段と、音情報コンテンツをネットワークを介してユーザ端末に配信する音情報配信手段と、を備えた音情報配信システムであって、
ユーザ端末から送信された音情報コンテンツの配信要求情報及び当該ユーザ端末の端末情報を受信する配信要求受付手段と、
音情報コンテンツをユーザ端末に適合させる変換内容を表す変換内容情報を、端末情報に関連付けて記憶した変換情報記憶手段と、
この変換情報記憶手段に記憶された情報に基づいて、端末情報に対応する変換内容情報を特定する変換解析手段と、
配信要求情報にて特定される音情報コンテンツを音情報記憶手段から読み出して、この音情報コンテンツを変換解析手段にて特定された変換内容情報に基づいて変換する音情報変換手段と、
を備えたことを特徴としている。
【０００９】
上記発明によると、まず、ユーザ端末から配信要求情報と共に送信された端末情報に基づいて、変換解析手段にて音情報コンテンツの変換内容を表す変換内容情報が特定される。そして、特定された変換内容情報に基づいて音情報コンテンツが変換されるため、ユーザ端末にて適切に再生可能な音情報コンテンツが生成され、ユーザ端末に送信される。このように、音情報配信システムが変換情報記憶手段を備えていることにより、あらゆるユーザ端末からの音情報配信要求に対応することができ、ユーザは自己の端末にて適切に再生可能な音情報データを取得することができる。
【００１０】
また、上記構成に加えて、
配信要求受付手段は、ユーザ端末から端末情報と共に送信されたユーザが希望する音情報コンテンツの変換内容を指定する変換パラメータを受信すると共に、
変換情報記憶手段が、変換パラメータにて指定される音情報コンテンツの変換内容を表す第２の変換内容情報を、変換パラメータに関連付けて記憶し、
変換解析手段が、変換パラメータに対応する第２の変換内容情報を特定し、
音情報変換手段が、音情報コンテンツを変換解析手段にて特定された変換内容情報及び第２の変換内容情報に基づいて変換する、
ことを特徴としている。
【００１１】
これにより、ユーザ端末から送信された変換パラメータに対応する変換内容が特定され、この変換内容にしたがって音情報コンテンツが変換される。このとき、上述したように、音情報コンテンツは配信先のユーザ端末の仕様に適合するようにも変換されている。従って、ユーザ端末にて適切に再生可能であると共に、ユーザが希望するようアレンジされた音情報コンテンツが生成され、配信されるため、ユーザは所望の音情報コンテンツを取得することができる。
【００１２】
このとき、上記変換パラメータは、例えば、音情報コンテンツのファイル形式、圧縮方法を指定する情報であり、又は、音情報コンテンツの一部を指定する情報である。さらには、変換パラメータは、音情報コンテンツの音質や、当該音情報コンテンツの再生時における音響効果を指定する情報である、ことを特徴としている。これにより、ユーザは、自己の希望に応じて詳細にカスタマイズされた音情報コンテンツを取得することができる。
また、上記構成に加え、音情報変換手段によって変換された音情報コンテンツに基づいて、ユーザ端末に課金する額を決定する課金額決定手段を備えた、ことを特徴としている。このとき、課金額決定手段は、音情報コンテンツの音情報変換手段による変換内容や、変換対象となるデータ容量に基づいて課金額を決定する、ことを特徴としている。これにより、課金内容や容量などに基づいてユーザに課せられる課金額が設定されるため、変換を行うシステムの処理負担に応じた適切な費用を徴収することができる。
【００１３】
また、本発明である音情報配信システムの他の形態は、
ユーザ端末にネットワークを介して接続された音情報配信サーバと、この音情報配信サーバに接続され音情報コンテンツを記憶した音情報記憶手段を有する音情報変換サーバと、を備えた音情報配信システムであって、
音情報配信サーバが、
ユーザ端末から送信された音情報コンテンツの配信要求情報及び当該ユーザ端末の端末情報を受信して変換サーバに通知する配信要求受付手段と、
音情報変換サーバから送信された音情報コンテンツをユーザ端末に配信する音情報配信手段と、を備えると共に、
音情報変換サーバが、
音情報コンテンツをユーザ端末に適合させる変換内容を表す変換内容情報を、端末情報に関連付けて記憶した変換情報記憶手段と、
この変換情報記憶手段に記憶された情報に基づいて、音情報配信サーバから受信した端末情報に対応する変換内容情報を特定する変換解析手段と、
音情報配信サーバから受信した配信要求情報にて特定される音情報コンテンツを音情報記憶手段から読み出して、この音情報コンテンツを変換解析手段にて特定された変換内容情報に基づいて変換する音情報変換手段と、
この変換された音情報コンテンツを音情報配信サーバに送信する音情報コンテンツ送信手段と、
を備えたことを特徴としている。
【００１４】
また、音情報配信サーバが有する配信要求受付手段は、ユーザ端末から端末情報と共に送信されたユーザが希望する音情報コンテンツの変換内容を指定する変換パラメータを受信して変換サーバに通知すると共に、
変換サーバが有する変換情報記憶手段が、変換パラメータにて指定される音情報コンテンツの変換内容を表す第２の変換内容情報を、変換パラメータに関連付けて記憶し、
変換サーバが有する変換解析手段が、音情報配信サーバから受信した変換パラメータに対応する第２の変換内容情報を特定し、
変換サーバが有する音情報変換手段が、音情報コンテンツを変換解析手段にて特定された変換内容情報及び第２の変換内容情報に基づいて変換する、
ことを特徴としている。
【００１５】
このように音情報配信サーバと音情報変換サーバとを分けることで、ユーザ端末のアクセス先となる音情報配信サーバが開設するサイトを一つにすることができると共に、一方で、音情報コンテンツの変換処理により負荷が大きくかかる音情報変換サーバを複数台に分散することができ、効率のよい運用を実現することができる。
【００１６】
また、本発明の他の形態である音情報変換サーバは、
ユーザ端末にネットワークを介して接続された音情報配信サーバに接続され、音情報コンテンツを記憶した音情報記憶手段を有する音情報変換サーバであって、
音情報配信サーバがユーザ端末から受信した音情報コンテンツの配信要求情報及び当該ユーザ端末の端末情報を受け取る配信要求受付手段と、
音情報コンテンツをユーザ端末に適合させる変換内容を表す変換内容情報を、端末情報に関連付けて記憶した変換情報記憶手段と、
変換情報記憶手段に記憶された情報に基づいて、音情報配信サーバから受け付けた端末情報に対応する変換内容情報を特定する変換解析手段と、
音情報配信サーバから受け付けた配信要求情報にて特定される音情報コンテンツを音情報記憶手段から読み出して、この音情報コンテンツを変換解析手段にて特定された変換内容情報に基づいて変換する音情報変換手段と、
この変換された音情報コンテンツをユーザ端末に配信するよう音情報配信サーバに送信する音情報コンテンツ送信手段と、
を備えたことを特徴としている。
【００１７】
また、上記構成に加えて、
配信要求受付手段は、ユーザ端末から端末情報と共に送信されたユーザが希望する音情報コンテンツの変換内容を指定する変換パラメータを音情報配信サーバから受け付けると共に、
変換情報記憶手段は、変換パラメータにて指定される音情報コンテンツの変換内容を表す第２の変換内容情報を、変換パラメータに関連付けて記憶し、
前記変換解析手段が、音情報配信サーバから受け付けた変換パラメータに対応する第２の変換内容情報を特定し、
前記音情報変換手段が、音情報コンテンツを変換解析手段にて特定された変換内容情報及び第２の変換内容情報に基づいて変換する、
ことを特徴としている。
【００１８】
また、本発明の他の形態である音情報変換用プログラムは、
ユーザ端末にネットワークを介して接続された音情報配信サーバに接続され、音情報コンテンツを記憶した音情報記憶手段を有する音情報変換サーバに、
音情報配信サーバがユーザ端末から受信した音情報コンテンツの配信要求情報及び当該ユーザ端末の端末情報を受け取る配信要求受付手段と、
音情報コンテンツをユーザ端末に適合させる変換内容を表す変換内容情報が端末情報に関連付けて記憶された変換情報記憶手段内の情報に基づいて、音情報配信サーバから受け付けた端末情報に対応する変換内容情報を特定する変換解析手段と、
音情報配信サーバから受け付けた配信要求情報にて特定される音情報コンテンツを音情報記憶手段から読み出して、この音情報コンテンツを変換解析手段にて特定された変換内容情報に基づいて変換する音情報変換手段と、
この変換された音情報コンテンツをユーザ端末に配信するよう音情報配信サーバに送信する音情報コンテンツ送信手段と、
を実現するための音情報変換用プログラム、という構成を採っている。
【００１９】
また、上記プログラムは、
音情報変換サーバに、
ユーザ端末から端末情報と共に送信されたユーザが希望する音情報コンテンツの変換内容を指定する変換パラメータを音情報配信サーバから受け付ける配信要求受付手段と、
変換パラメータにて指定される音情報コンテンツの変換内容を表す第２の変換内容情報が変換パラメータに関連付けて記憶された変換情報記憶手段内の情報に基づいて、音情報配信サーバから受け付けた変換パラメータに対応する第２の変換内容情報を特定する前記変換解析手段と、
音情報コンテンツを変換解析手段にて特定された変換内容情報及び第２の変換内容情報に基づいて変換する音情報変換手段と、
を実現するための構成を採っている。
【００２０】
さらに、本発明の他の形態である音情報配信方法は、
ユーザ端末にネットワークを介して接続されたコンピュータを用いて音情報コンテンツをユーザ端末に配信する方法であって、
コンピュータが、ユーザ端末から送信された音情報コンテンツの配信要求情報及び当該ユーザ端末の端末情報を受信する配信要求受付工程と、
音情報コンテンツをユーザ端末に適合させる変換内容を表す変換内容情報が端末情報に関連付けて記憶した変換情報記憶手段内の情報に基づいて、端末情報に対応する変換内容情報を特定する変換解析工程と、
配信要求情報にて特定される音情報コンテンツを音情報記憶手段から読み出して、この音情報コンテンツを特定された変換内容情報に基づいて変換する音情報変換工程と、
この変換された音情報コンテンツをネットワークを介してユーザ端末に配信する音情報配信工程と、
を備えたことを特徴としている。
【００２１】
そして、上記方法において、
配信要求受付工程は、ユーザ端末から端末情報と共に送信されたユーザが希望する音情報コンテンツの変換内容を指定する変換パラメータを受信し、
変換解析工程が、変換パラメータにて指定される音情報コンテンツの変換内容を表す第２の変換内容情報が変換パラメータに関連付けて記憶された変換情報記憶手段内の情報に基づいて、変換パラメータに対応する第２の変換内容情報を特定し、
音情報変換工程が、音情報コンテンツを変換解析工程にて特定された変換内容情報及び第２の変換内容情報に基づいて変換する、
ことを特徴としている。
さらに、音情報配信工程の後に、音情報変換工程によって変換された音情報コンテンツに基づいてユーザ端末に課金する額を決定する課金額決定工程を備えた、ことを特徴としている。
【００２２】
上記構成の音情報変換サーバ、音情報変換用プログラム、音情報変換方法であっても、上述した音情報変換システムと同様に作用するため、上記本発明の目的を達成することができる。
【発明の効果】
【００２３】
本発明は、以上のように構成され機能するので、これによると、あらゆるユーザ端末からの音情報配信要求に対応して、当該ユーザ端末にて適切に再生可能な音情報を配信することができ、ユーザの満足度の向上を図ることができる。
【発明を実施するための最良の形態】
【００２４】
本発明は、ユーザ端末にネットワークを介して音楽コンテンツを配信するシステムにおいて、ユーザ端末に適合するよう音楽コンテンツを変換するための変換内容情報を予め記憶している点に特徴を有する。以下、実施例にて、詳細に説明する。なお、以下では、配信するコンテンツとして音楽を一例に挙げて説明するが、音楽に限定されず、ニュースなどの音情報からなるコンテンツであってもよい。
【実施例１】
【００２５】
本発明の第１の実施例を、図１乃至図３を参照して説明する。図１は、音楽配信システムの構成を示すブロック図である。図２は、音楽配信サーバの構成を示す機能ブロック図である。図３は、システムの動作を示すシーケンス図である。
【００２６】
図１に示すように、音楽配信システム（音情報配信システム）は、音楽配信サーバ１（音情報配信サーバ）にて構成されており、この音楽配信サーバ１には、インターネットなどのネットワークを介して端末２（ユーザ端末）が接続されている。まず、各装置１，２の概略について説明する。
【００２７】
端末２は、音楽配信を希望するユーザが操作する携帯電話などの情報処理装置であり、音楽配信サーバ１にアクセスし、音楽コンテンツ（音情報コンテンツ）をダウンロードする機能を備えている。音楽コンテンツとしては、音楽コンテンツの一曲全てであったり、携帯電話の着信メロディのように音楽コンテンツの一部であったりする。また音楽とは限らず、ニュースや落語、語学教育コンテンツなど、音声を主体とするコンテンツであってもよい。
【００２８】
ユーザは、端末２を使用し、ダウンロードできる音楽コンテンツのリストを音楽配信サーバ１より受信する。ユーザは希望する音楽コンテンツを選択し、音楽配信サーバ１に対してダウンロード要求を行なう。端末２は音楽配信サーバ１への要求時に、端末情報を一緒に送信する機能を備えている。
【００２９】
音楽配信サーバ１では、端末２からのダウンロード要求を受信する。端末２からのダウンロード要求には端末情報が含まれているので、音楽配信サーバ１は端末２で再生したときに良い音質で音楽コンテンツを聞くことができるように、音楽コンテンツを端末２に適応するよう変換する。
【００３０】
そして、音楽配信サーバ１は、変換したコンテンツを端末２に送信する。これにより、端末２では受信した音楽コンテンツを記憶装置に蓄積し、いつでも自分の端末に適応した音質で音楽コンテンツを楽しむことができる。
【００３１】
次に、図１乃至図３を用いて、さらに詳細な構成及び動作について説明する。音楽配信サーバ１は、端末２からの音楽の配信要求の受付と端末２に対して音楽データの配信とを行なう送受信部１１（配信要求受付手段、音情報配信手段）、端末２に適応した音楽データを変換するために端末２の端末情報やユーザが要求したパラメータ（変換パラメータ）から音楽変換内容を表す変換内容情報を特定する変換パラメータ解析部１２（変換解析部）、音楽データ（音情報コンテンツ）の変換を行なうための音楽変換部１３（音情報変換手段）、音楽変換部１３から読み出される音楽データを蓄積する音楽ＤＢ１４（音情報記憶手段）、変換パラメータ解析部１２が端末情報やパラメータに対応した変換内容を表す変換内容情報を記憶した端末ＤＢ１５（変換情報記憶手段）、を備えている。また、図示しないが、音楽配信サーバ１は、端末２に対して課金額を決定して課金処理を行う課金処理部（課金額決定手段）を備えている。そして、上記各部１１〜１３は、音楽配信サーバ１のＣＰＵなどの演算装置に音情報配信用プログラムが組み込まれることにより構築されている。また、各ＤＢ１４，１５は、ハードディスクなどの記憶装置に形成されている。
【００３２】
また、端末２は、音楽配信サーバ１に対して音楽の配信要求およびサーバ１から配信された音楽データの受信を行なう送受信部２１、受信した音楽データを記憶しておくための記憶装置２２、および、音楽配信要求を行なうときに自端末の情報を送信する端末情報ＤＢ２３、を備えている。
【００３３】
以下、ユーザが音楽コンテンツをダウンロードするときの処理内容について説明する。まず、ユーザは端末２を使用し、音楽コンテンツのダウンロードのためのユーザ認証処理を行なう（ステップＳ１０、Ｓ２０）。
【００３４】
そして、ユーザ認証が許可されると、端末２は、ダウンロード可能な音楽コンテンツのリストをダウンロードする（ステップＳ１１、Ｓ２１）。ユーザは音楽コンテンツのリストからダウンロードしたい音楽コンテンツを選択する（ステップＳ１２）。選択したコンテンツは音楽コンテンツの一曲まるごとダウンロードするものでも良いし、着信メロディのようにあるフレーズだけダウンロードするものでも良いものとする。
【００３５】
ユーザの選択により、送受信部２１は音楽配信サーバ１に対して、ダウンロード要求を行なう。この時、端末２は、端末情報ＤＢ２３から自分の端末情報を読み出し、当該端末情報を音楽配信サーバ１へのダウンロード要求メッセージに付与して送信する（ステップＳ１３、Ｓ１４）。ここで、端末２の送受信部２１は、音楽配信サーバ１に対して送信する要求のプロトコルは特定しないが、一般にＨＴＴＰ（ハイパーテキスト送信プロトコル）を用いることが多い。また、端末情報ＤＢ２３に記載されるデータは、携帯電話の場合は機種名で端末およびハードウェアが特定できるため、機種名で良い。なお、携帯電話以外の場合は端末２が音楽再生に用いるハードウェアの特性を記述しておく。例えば、音楽再生に使用することができるファイル形式、コーデック形式や音楽再生に用いるスピーカーやヘッドフォンの再生可能な周波数特性、音量レベルなどの情報を記述する。用いる再生用ハードウェアが良く知られた機種であるならば、携帯電話と同様に再生用ハードウェアの機種名を記述しても良い。
【００３６】
携帯電話によりＨＴＴＰで要求する場合、ＨＴＴＰメッセージのヘッダに機種名が記述される。例えば、ＮＴＴ  ＤｏＣｏＭｏ社の携帯電話の場合、以下のように記述される。
GET ［音楽データのURI］ HTTP/1.1 <改行>
User-Agent: DoCoMo/2.0 ［機種名］ <改行>
ここで、上記［音楽データのURI］は、これからダウンロードする音楽データを特定するためのURI(Universal Resource Indicator)で、［機種名］は携帯電話の機種名、<改行>は改行コードである。簡単のため、User-Agent以外のヘッダについては記述していないが、User-Agentヘッダ内に端末情報が記述されるため、かかる情報により端末２が特定できる。
【００３７】
音楽データのURIは、音楽配信サーバ１の音楽ＤＢ１４で管理している音楽コンテンツが一意に特定できれば良いが、一般的には音楽ＤＢ中のファイル名が用いられる。また、音楽コンテンツ全体ではなく、あるフレーズのみのダウンロードを要求した場合は、URI中にフレーズの番号、開始時間(IN点)、終了時間(OUT点)の情報も含まれる。
【００３８】
携帯電話以外の場合は、User-Agentに機種名が入力されないことが考えられるため、端末が音楽再生に用いるハードウェアの特性を記述したヘッダを追加する。ヘッダの中身は端末情報ＤＢ２３に記述された再生用ハードウェアの再生可能な周波数特性や機種名である。
【００３９】
端末情報ＤＢ２３には、音楽をどのように圧縮して受信したいかというコーデック情報なども含まれ、音楽配信サーバ１への要求に使用される。ファイル形式の情報は携帯電話の場合、User-Agentでも区別できるが、音楽データのURIなど音楽コンテンツを識別するための情報として付加してもよい。URIで指定された音楽コンテンツのファイル拡張子によって区別することが可能であり、例えば、”.3GP”であれば、3GP形式のファイル形式で送信するなどの区別ができる。ファイル形式やコーデック形式、あるフレーズのみのダウンロードのためフレーズ番号、IN点/OUT点を特定するためにヘッダを拡張することも可能である。
【００４０】
端末２の送受信部２１からの要求は、音楽配信サーバ１の送受信部１１が受信する（ステップＳ２２）。送受信部１１は、要求の中身を解析し、音楽コンテンツを特定する（ステップＳ２３）。従来技術の音楽コンテンツ配信では、特定した音楽コンテンツを音楽ＤＢ１４から読み出して端末２に対して送信するだけであるが、本発明では、特定した音楽コンテンツを変換してから送信する。音楽変換部１３で特定した音楽コンテンツおよび端末から送信されてきた端末情報から音楽コンテンツの変換を行なう。
【００４１】
そして、音楽変換部１３で音楽コンテンツの変換を行なうが、本発明においては、端末情報に記述されたデータが携帯電話の機種名や再生用ハードウェアの機種名の場合、どのように変換するかわからないため、変換パラメータ解析部１２で端末ＤＢ１５を参照し、端末２の再生用ハードウェアの再生可能な周波数特性などの情報を取得する（ステップＳ２４）。すなわち、音楽コンテンツを端末２にて適切に再生可能なようどのように変換するか、という変換内容を表す変換内容情報を取得する。これにより、音楽変換部１３では、変換パラメータ解析部１２から周波数特性を、音楽ＤＢ１４から音楽コンテンツを取得し、端末２の再生用ハードウェアにあった特性および再生可能なコーデックにあわせて変換する（ステップＳ２５）。
【００４２】
音楽変換部１３で変換した音楽コンテンツは、送受信部１１から端末２に送信される（ステップＳ２６）。端末２では送受信部２１で受信し、記憶装置２２に蓄積される（ステップＳ１５，Ｓ１６）。ダウンロード完了後、サーバ１では端末２のダウンロードに対してユーザに課金する額を決定し、電子マネーやクレジットなどの決済手段を用いて課金処理を行なう（ステップＳ２７）。課金処理は、変換した音楽データ、すなわち、音楽データの変改処理の内容や、変換データ容量などに応じて行ってもよい。例えば、高い音質で変換した場合は高額、低い音質で変換した場合は低額の課金を行ったり、変換した音楽コンテンツの長さやファイルサイズが大きい場合は高額にするなど、音楽データの値をもとに課金を行ってもよい。
【００４３】
次に、図２及び図３を参照して、音楽変換部１３および変換パラメータ解析部１２の具体的な処理内容について説明する。つまり、図３では、ステップＳ２４，Ｓ２５の処理内容を詳述する。ここでは、ＨＴＴＰにより携帯電話から音楽コンテンツの要求があったとして説明を行なう。
【００４４】
音楽変換部１３で音楽コンテンツの変換要求を受信すると、音楽コンテンツのURIやUser-Agentなどの要求メッセージを変換パラメータ解析部１２に渡す。変換パラメータ解析部１２では要求メッセージを解析する。解析は次のように行なう。
１．音楽コンテンツのURIの拡張子により、音楽コンテンツを出力すべきファイル形式を特定する（ステップＳ２４１、手段Ｍ２４１）。例えば、ファイル形式例：MP3ファイル、3GPファイル、MP4ファイルなど。
２．音楽コンテンツのURIにより、音楽コンテンツの一部をダウンロードする場合、フレーズ番号、IN点/OUT点から音楽コンテンツを切り出す場所を特定する（ステップＳ２４２、手段Ｍ２４２）。
３．User-Agentに記述されている携帯電話の機種により、携帯電話で再生可能である圧縮方式（コーデック）の種類を特定する（ステップＳ２４３、手段Ｍ２４３）。ただし、上記１．のファイル形式の特定によりコーデックが特定されている場合もあるので、その場合はこのコーデックの特定を行なわない、または特定したコーデックとファイル形式から得られるコーデックとの競合をチェックする。例えば、コーデック例：MP3形式、AAC形式、AMR形式など。
４．User-Agentに記述されている携帯電話の機種により、携帯電話のスピーカー特性から得られる音楽コンテンツの変換処理用フィルタを特定する（ステップＳ２４４、手段Ｍ２４４）。
５．上記、特定した情報を音楽変換部１３に渡す。
【００４５】
音楽変換部１３では、変換パラメータ解析部１２で解析された情報を使って、音楽コンテンツの変換を行なう。まず、上記２．で特定された情報を使って、音楽コンテンツを切り出す（ステップＳ２５１、手段Ｍ２５１）。
【００４６】
次に上記４．で得られた変換処理用フィルタを使って、音楽コンテンツの変換を行なう（ステップＳ２５２、手段Ｍ２５２）。音楽コンテンツの変換は特に携帯電話など限られたスペースに入っているスピーカーで音楽コンテンツを楽しむ場合、スピーカー特性に合わせて変換を行なう。簡単な例としては、携帯電話がスピーカーを一つしか装備していない場合、ステレオの音楽コンテンツをモノラル用に変換することが考えられる。また、携帯電話が再生可能なサンプリング周波数に応じて変換することも考えられる。元の音楽コンテンツは48kHzや44.1kHz程度の高いサンプリング周波数の音楽が多いと考えられるが、携帯電話によっては32kHzや16kHzなど低いサンプリング周波数しか再生できないことがある。このような携帯電話に対する音楽コンテンツの配信についてはサンプリング周波数の変換が必要である。
【００４７】
更に小さなスピーカーを装備している場合、一般的に大きなスピーカーに比較して小さなスピーカーは音質が悪いため、できるだけ良い音質にするために変換することが考えられる。例えば、小さなスピーカーでは一般的に下記のような特徴がある。
・周波数領域で低域成分がほとんど聞こえない
・音を再現できる音量の範囲が狭い
携帯電話のスピーカーで低域が聞こえない場合、音楽コンテンツの低域成分の除去を行なう処理を行なう。音楽コーデックを使用してデータ圧縮するとき、スピーカーで聞こえない低域成分を再現するためにデータ量を割り当てる方式と、データ圧縮前に低域成分を除去し、スピーカーで聞こえる中域、高域成分にデータ量を割り当てる方式を比較すると、同じデータ量の場合は携帯電話のスピーカーで聞くと中域、高域成分の音楽の再現性がよいため、音質が良くなる。また、中域、高域成分に同じデータ量を割り当てた場合、音質は同じであるが、低域成分を携帯電話に配信しないため、データ量が少なくなるという利点がある。
【００４８】
携帯電話のスピーカーで音を再現できる音量の範囲が狭い場合、音量範囲に合わせて音量範囲を圧縮する処理を行なう。本処理を行なうことで、音楽コンテンツのあるフレーズは音量が低くて非常に聞きにくい、あるフレーズは音量が大きくて音が割れるといった現象を起こさずに、携帯電話のスピーカーで音楽コンテンツを聞くことができる。
【００４９】
その他、携帯電話のスピーカーの特性に合わせる処理だけでなく、
・音楽の出だし部分の音量、徐々に上げる処理(フェードイン)
・音楽の終わり部分の音量を徐々に下げる処理(フェードアウト)
・音楽コンテンツに合わせて、歌の部分(声の周波数成分)の強調やコンサート会場のような周波数成分の変換(イコライジング)
などの音響処理を行なうことも可能である。
【００５０】
以上の変換処理は携帯電話での音楽コンテンツ配信を主に説明したが、ＰＣなどの高性能端末でこのような処理を行なっても良い。特許文献２に記載されているように、ＰＣなど高性能の端末の場合、再生直前にスピーカーの特性に合致した音質に変換して再生することも可能であるが、携帯電話などのハードウェア性能が高くない端末では端末での音質変換ができないため、この変換処理の効果が高くなる。
【００５１】
音楽変換部１３では、音楽コンテンツを端末に合わせて変換処理をした後、端末から要求された圧縮方式もしくは端末２が再生可能な圧縮方式で圧縮し（ステップＳ２５３、手段Ｍ２５３）、端末から要求されたファイル形式もしくは端末が再生可能なファイル形式にして出力する（ステップＳ２５４、手段Ｍ２５４）。この時、ファイル中に著作権保護のためのコピー禁止などのフラグを入れても良い。
【００５２】
このようにして出力したファイルを実際に端末２で再生可能であるかどうかの検査を行なう（ステップＳ２５５）。例えば、ファイルサイズを調査し、端末２が許容しているサイズよりも大きくないかなどの検査を行なう。検査の結果、端末２で再生できない、逆に指定したデータ量に足りないので更に音質をよくすることができるなどが判定できれば、パラメータを変更して、再度エンコード処理を行なう。
【００５３】
以上の説明したように、本実施の形態の音楽配信システムを用いれば、ユーザが音楽コンテンツを要求すると、端末情報を音楽配信サーバ１に対して送信し、端末情報をもとに端末２の再生に適したパラメータで音楽コンテンツを変換して配信することができる。従って、ユーザは良い音質で音楽コンテンツを楽しむことができる。
【００５４】
また、コンテンツを配信する側としては、ユーザの端末でよい音質で再生可能であるような音楽コンテンツを一つずつ用意しなくても、オリジナルの音楽コンテンツを用意すれば自動的にユーザ端末に適した音楽コンテンツに変換できるため、音楽コンテンツの配信が容易になる。
【実施例２】
【００５５】
次に、本発明の第２の実施例を、図４乃至図５を参照して説明する。図４に示すように、本実施例の音楽配信システムは、音楽配信サーバ１と、この音楽配信サーバ２に接続され音楽コンテンツを変換する音楽変換サーバ３（音情報変換サーバ）と、を備えている。そして、上記音楽配信サーバ１には、インターネットなどのネットワークを介して端末２が接続されている。
【００５６】
この実施例２では、ユーザが端末２を使用して音楽配信サーバ１から音楽コンテンツのダウンロードを行なうとき、ユーザが自分の希望するパラメータを入力し、好みの音質やフレーズ、音響効果を指定することができる機能を備えている。また、上記実施例１では音楽配信サーバ１において音楽コンテンツの変換を行なっていたが、本実施例では音楽配信サーバ１と別に音楽変換サーバ３を用いる点が異なる。まず、本実施例における構成の概略を説明する。
【００５７】
音楽配信サーバ１は、端末２からの要求を受け、音楽変換サーバ３に対して音楽変換要求を出し、変換結果を受信して端末２に配信する送受信部１１（配信要求受付手段、音情報配信手段）を備えている。端末２は、音楽配信サーバ１に対して音楽の配信要求、および、音楽配信サーバ１から配信された音楽データの受信を行なう送受信部２１、受信した音楽データを記憶しておくための記憶装置２２、音楽配信要求を行なうときに自端末の情報を送信する端末情報ＤＢ２３、および、ユーザからの入力を受け当該ユーザの希望する変換パラメータを入力することができる変換パラメータ入力部２４、を備えている。
【００５８】
音楽変換サーバ３１は、音楽配信サーバ１からの音楽コンテンツ変換要求の受付と音楽配信サーバ１に対して音楽データの配信を行なう送受信部３１、音楽コンテンツを変換するために端末２の端末情報やユーザが入力した変換パラメータから音楽変換を行なうための変換内容を特定する変換パラメータ解析部３２、音楽データの変換を行なうための音楽変換部３３、音楽データを蓄積し音楽変換部３３から読み出される音楽ＤＢ３４、変換パラメータ解析部３２によって端末情報や変換パラメータにて特定される変換内容を表す変換内容情報を記憶する端末ＤＢ３５、を備えている。
【００５９】
次に、ユーザが音楽コンテンツをダウンロードするときの動作を、図５を参照して説明する。まず、ユーザは端末２を使用し、音楽コンテンツのダウンロードのためのユーザ認証処理を行なう（ステップＳ３０、Ｓ４０）。ユーザ認証が許可されると、端末２はダウンロード可能な音楽コンテンツのリストをダウンロードする（ステップＳ３１、Ｓ４１）。そして、ユーザは音楽コンテンツのリストからダウンロードしたい音楽コンテンツを選択する（ステップＳ３２）。ダウンロードしたい音楽コンテンツを選択後、ユーザは音楽コンテンツをどのような音質に変換したいか、ということを表す変換パラメータの入力を行なう（ステップＳ３３）。
【００６０】
ユーザが指定可能な変換パラメータとして、例えば、音楽コンテンツのファイル形式、圧縮方法を指定する情報、音楽コンテンツの一部を指定する情報、さらには、音楽コンテンツの音質や、当該音楽コンテンツの再生時における音響効果を指定する情報がある。以下、さらに具体的に説明する。
（１）音楽コンテンツの一曲丸ごとダウンロードしたいのか、一部分のみダウンロードしたいのかを指定する。一部分のみダウンロードしたい場合は音楽コンテンツのどの部分をダウンロードしたいのかを指定する。一部分を指定する場合、事前に音楽コンテンツ全体をダウンロードし、音楽を聴きながら開始点と終了点を指定するなどの方法を取ることができる。また、事前にコンテンツ提供者が曲のサビ部分などを簡単に選択できるようにメニュー化しておき、ユーザはメニューから選択することもできる。
（２）音楽の音質に関する指定。音楽コンテンツを周波数領域で音量を上下するイコライジング処理のパラメータなどを指定する。例えば、低音を強くして迫力のある音にする、歌の部分を良く聞こえるようにする、歌の部分を削除して音楽のみのカラオケとして利用する、コンサート会場にいるような臨場感にするなどを設定する。この設定は、あらかじめ音楽配信サーバ1で典型的な設定のパラメータを用意しておき、ユーザは典型的な設定を選択するだけでパラメータ指定を可能とする。更に詳細に設定したユーザに対しては周波数成分や音の遅れなどのパラメータの詳細設定を提供することも可能である。
（３）音楽効果に関する指定。音楽の開始時に徐々に音量を上げていく(フェードイン)、音楽の終了時に徐々に音量を下げている(フェードアウト)などの効果およびパラメータ設定などを行なうことができるようにする。
【００６１】
ユーザは自分の好みの音質を設定しても良いし、あらかじめ決められたオリジナルの設定でダウンロードしたければ音質設定をしなくてもよい。なお、上記指定内容は一例であって、上記の内容に限定されない。
【００６２】
ユーザが音楽コンテンツを指定し、音質等を表す変換パラメータを設定すると、送受信部２１は音楽配信サーバ１に対して、ダウンロード要求を行なう。この時、端末情報ＤＢ２３から自分の端末情報を読み出し、この端末情報と上記変換パラメータとを、音楽配信サーバ１へダウンロード要求のメッセージに付与して送信する（ステップＳ３４，Ｓ３５）。ここで、送受信部２１は、音楽配信サーバ１に対するプロトコルは実施の形態１と同様のプロトコルを使用するものとする。端末２の送受信部２１からの要求は、音楽配信サーバ１の送受信部１１が受信する（ステップＳ４２）。
【００６３】
音楽コンテンツの変換は、音楽配信サーバ１から音楽変換サーバ３に対して変換要求を行なう（ステップＳ４３、ステップＳ５０）。この要求には、ウェブサービスなどに用いられるプロトコルを用いて要求を行なうことが一般的である。また、このように音楽配信サーバ１と音楽変換サーバ３を分割すると、音楽変換サーバ３を複数用意することで同時に多数の音楽コンテンツ変換を行なうことが可能であり、また、音楽変換サーバ３は音楽配信サーバ１としか通信できないように設定することで、外部からの不正アクセスに強くなる、などの利点がある。
【００６４】
音楽変換サーバ３では、上記実施例１にて説明した音楽配信サーバと同様の動作をする。送受信部３１は、要求の中身を解析し、音楽コンテンツを特定する（ステップＳ５１）。また、音楽変換部３３で特定した音楽コンテンツ、および、端末から送信されてきた端末情報、ユーザが指定した変換パラメータから、音楽コンテンツの変換を行なう。それに先立って、変換パラメータ解析部３２で、端末情報、ユーザが指定した変換パラメータから音楽コンテンツの変換内容情報を取得する（ステップＳ５２）。例えば、端末情報に記述されたデータが携帯電話の機種名や再生用ハードウェアの機種名の場合、端末ＤＢ１５から、端末２の再生用ハードウェアの再生可能な周波数特性などの情報を取得する。また、ユーザ指定変換パラメータが「低域を強くしたい」、「コンサート会場で聞くような効果が欲しい」などのあらかじめ設定したパラメータでの変換要求の場合、端末ＤＢ１５からユーザ指定の変換パラメータの音響効果を持つ音響フィルタ（周波数特性情報など）を取得する。
【００６５】
そして、音楽変換部１３では、曲の一部だけをダウンロードする場合は指定された切り出し位置を特定した音楽コンテンツから切り出す。また、あらかじめコンテンツ提供者がメニューとして提供した切り出し位置の場合は音楽コンテンツからその切り出し位置で切り出しても良いし、最初からその切り出し位置で切り取った音楽コンテンツを用意しても良い。また、変換パラメータ解析部１２から周波数特性を、音楽ＤＢ１４から音楽コンテンツを取得し、端末２の再生用ハードウェアにあった特性、ユーザ指定のパラメータの音響効果を加え、再生可能なコーデックにあわせて変換する（ステップＳ５３）。音楽変換部１３で変換した音楽コンテンツは、送受信部３１から音楽配信サーバ１に送信される（ステップＳ５４、Ｓ４６）。なお、変換処理は上記内容に特定されず、他の変換処理をも伴う。
【００６６】
音楽配信サーバ１では受信した音楽コンテンツを端末２に送信する（ステップＳ４５）。端末２では送受信部２１で受信する（ステップＳ３６）。受信後、ユーザが指定した変換パラメータがユーザの希望にあっているかどうかをユーザが確認する（ステップＳ３７）。自分のイメージしたものでなければ、もう一度パラメータを変更して再度音楽変換を試みることが可能である。また、この時点で変換を破棄してダウンロードを取りやめることもできる（ステップＳ３８）。自分のイメージしたものであれば、端末２の記憶装置２２に蓄積され（ステップＳ３９）、サーバでは課金処理を行なう（ステップＳ４６）。
【００６７】
以上のように、本実施例における音楽配信システムを用いれば、ユーザが希望の音質で音楽コンテンツを要求すると、端末２は端末情報とユーザの希望する変換パラメータを音楽配信サーバ１に対して送信し、端末情報とユーザの希望する変換パラメータをもとにユーザの希望する音質でかつ端末２の再生に適したパラメータで音楽コンテンツを変換して配信することができる。従って、ユーザは自分の希望する音質でかつ端末にあった良い音質で音楽コンテンツを楽しむことができる。
【００６８】
また、コンテンツを配信する側としては、ユーザの端末ごと、ユーザの希望する可能性のある音楽コンテンツを一つずつ用意しなくても、オリジナルの音楽コンテンツを用意すれば自動的にユーザ端末に適した音楽コンテンツに変換できるため、音楽コンテンツの配信が容易になる。
【産業上の利用可能性】
【００６９】
本発明は、携帯電話などの端末に対して、音楽コンテンツなどの音情報を配信するサービスを提供するキャリアや業者などの配信サーバ、変換サーバとして利用することができ、産業上の利用可能性を有する。
【図面の簡単な説明】
【００７０】
【図１】実施例１におけるシステムの構成を示す概略図である。
【図２】音楽配信サーバの構成を示す機能ブロック図である。
【図３】実施例１におけるシステムの動作を示すシーケンス図である。
【図４】実施例２におけるシステムの構成を示す概略図である。
【図５】実施例２におけるシステムの動作を示すシーケンス図である。
【符号の説明】
【００７１】
１  音楽配信サーバ（音情報配信サーバ）
２  端末（ユーザ端末）
３  音楽変換サーバ（音情報変換サーバ）
１１  送受信部（配信要求受付手段、音情報配信手段）
１２  変換パラメータ解析部（変換解析手段）
１３  音楽変換部（音情報変換手段）
１４  音楽ＤＢ（音情報記憶手段）
１５  端末ＤＢ（変換情報記憶手段）
【図１】
2006243397.tif 000003
【図２】
2006243397.tif 000004
【図３】
2006243397.tif 000005
【図４】
2006243397.tif 000006
【図５】
2006243397.tif 000007